(57)【特許請求の範囲】
【請求項１】
被試験機に接続され、前記被試験機にシミュレーション用の試験電源を供給する電源試験装置であって；
前記被試験機に供給する試験電源を出力する出力端子と；
前記試験電源を発生させる制御手段と；
前記出力端子を保護する複数の保護カバーと；
前記出力端子を収納する端子台と；
前記複数の保護カバーの各々に取り付けられ、前記複数の保護カバーの前記端子台への取り付けをそれぞれ検出し、前記検出した検出信号を前記制御手段に送る検出手段と；
前記制御手段が前記検出信号を受けていないときに、警報を文字で表示す警報表示部とを備え；
前記警報の表示が、前記複数の保護カバーのうち、どの保護カバーが取り付いていないかについての情報を含む；
電源試験装置。
【請求項２】
被試験機に接続され、前記被試験機にシミュレーション用の試験電源を供給する電源試験装置であって；
前記被試験機に供給する試験電源を出力する出力端子と；
前記試験電源を発生させる制御手段と；
前記試験電源の通電時間と停電時間を設定する設定手段と；
前記出力端子を保護する保護カバーと；
前記出力端子を収納する端子台と；
前記保護カバーの前記端子台への取り付けを検出し、前記検出した検出信号を前記制御手段に送る検出手段と；
前記設定された通電時間と停電時間を表示するシミュレーション時間表示部であって、前記制御手段が前記検出信号を受けていないときに、前記保護カバーが取り付いていないことを表示して警告する警報を表示するシミュレーション時間表示部とを備える；
電源試験装置。
【請求項３】
測定項目を選択する選択手段と；
前記選択手段により選択された測定を持続する時間を設定する測定時間設定手段と；
前記測定時間設定手段により設定された時間を表示する測定時間表示部であって、前記制御手段が前記検出信号を受けていないときに、前記警報を表示する測定時間表示部とを備える；
請求項２に記載の電源試験装置。
【請求項４】
前記警報が、文字を表示し視覚に訴えて発せられるものであり、加えて音により聴覚に訴えて発せられるものである；
請求項２または請求項３に記載の電源試験装置。
【請求項５】
前記制御手段は、前記検出信号を受けているときのみ前記試験電源を発生させるよう構成された；
請求項１乃至請求項４のいずれか１項に記載の電源試験装置。
【発明の詳細な説明】
【０００１】
【発明の属する技術分野】
本発明は、電源試験装置に関し、特に被試験機に接続され、被試験機にシミュレーション用の試験電源を供給する電源試験装置に関するものである。
【０００２】
【従来の技術】
電源試験装置は、通常は電源と被試験機との間に接続される。電源試験装置から被試験機に電源を送るに際し電源試験装置によって、瞬時停電を起こしたり、指定した時間間隔のみ被試験機に通電したり、指定した時間後に通電を開始したり等する。このように電源のモードを変えることにより、被試験機の諸条件がどのように変化するか電源シミュレーション試験が行われる。
【０００３】
電源シミュレーション試験には、被試験機の仕様により、高電流電源、高電圧電源等を扱うことがあり、電源試験装置の入力端子台、出力端子台には安全のため保護カバーが設けられている。
【０００４】
【発明が解決しようとする課題】
しかし、試験時に端子台への保護カバーの取り付けを忘れ、端子が露出していても、試験を行うことは可能であり、誤って端子に触れたりして感電事故を起こす危険性があった。
【０００５】
そこで、本発明は保護カバーの端子台への確実な取り付けを確保できる安全な電源試験装置を提供することを目的とする。
【０００６】
【課題を解決するための手段】
上記目的を達成するために、請求項１に係る発明による電源試験装置は、図１、図３、図４に示すように、被試験機３に接続され、被試験機３にシミュレーション用の試験電源を供給する電源試験装置１であって；被試験機３に供給する試験電源を出力する出力端子２１と；前記試験電源を発生させる制御手段３２と；出力端子２１を保護する複数の保護カバー２３と；出力端子２１を収納する端子台２２と；複数の保護カバー２３の各々に取り付けられ、複数の保護カバー２３の端子台２２への取り付けをそれぞれ検出し、前記検出した検出信号を制御手段３２に送る検出手段２５と；制御手段３２が前記検出信号を受けていないときに、警報を文字で表示す警報表示部１０、１３とを備え；前記警報の表示が、複数の保護カバー２３のうち、どの保護カバー２３が取り付いていないかについての情報を含む。
さらに電源試験装置１は、電源が入力される入力端子２０を備え、前記保護カバー２３が入力端子２０をも保護し、端子台２２が入力端子２０をも収容するものであってもよい。
【０００７】
保護カバーの端子台への取り付けは、ビス等を使用して行うものであっても、蝶番を保護カバーの一端に設置しておき開閉可能とし、他端を閉めるようにして、保護カバーによって端子を覆うよう取り付けるものであってもよい。また、端子台に例えば溝を加工し保護カバーを摺動可能に設置しておき、この溝にそって保護カバーを摺動させて取り付け、保護カバーによって端子を覆うようにするものであってもよい。保護カバーを端子台へ取り付けるとは、保護カバーを端子台に直接には取り付けず、端子台の近傍に端子台を覆うように取り付ける場合を含むものとする。
【０００８】
入力端子、出力端子はそれぞれ複数であってもよく、この場合端子の全てを一つの端子台に収納してもよく、複数の端子台に分散して収納してもよい。また入力端子、出力端子、または端子台が複数の場合、保護カバーは一つに限定せず、複数であってもよい。入力端子、出力端子が各々一つで一つの端子台に収納されるとき、保護カバーを入力端子と出力端子に各々一つ取り付けてもよい。
【０００９】
警報の表示が、複数の保護カバーのうち、どの保護カバーが取り付いていないかについての情報を含むので、どの保護カバーが取り付いていないかについて知ることができる。
【００１０】
上記目的を達成するために、請求項２に係る発明による電源試験装置は、例えば図１、図３、図４に示すように、被試験機３に接続され、被試験機３にシミュレーション用の試験電源を供給する電源試験装置１であって；被試験機３に供給する試験電源を出力する出力端子２１と；前記試験電源を発生させる制御手段３２と；前記試験電源の通電時間と停電時間を設定する設定手段９と；出力端子２１を保護する保護カバー２３と；出力端子２１を収納する端子台２２と；保護カバー２３の端子台２２への取り付けを検出し、前記検出した検出信号を制御手段３２に送る検出手段２５と；前記設定された通電時間と停電時間を表示するシミュレーション時間表示部１０であって、制御手段３２が前記検出信号を受けていないときに、保護カバー２３が取り付いていないことを表示して警告する警報を表示するシミュレーション時間表示部１０を備える。
【００１１】
制御手段が検出信号を受けていないときに、保護カバーが取り付いていないことを表示して警告する警報を表示するシミュレーション時間表示部を備えるので、保護カバーの端子台への取り付けをより確実に行うことができ、さらに安全な電源試験装置とすることができる。
【００１２】
請求項３に記載の電源試験装置は、請求項２に記載の電源試験装置において、例えば図２、図４に示すように、測定項目を選択する選択手段１６と；選択手段１６により選択された測定を持続する時間を設定する測定時間設定手段１２と；測定時間設定手段１２により設定された時間を表示する測定時間表示部１３であって、制御手段３２が前記検出信号を受けていないときに、前記警報を表示する測定時間表示部１３とを備える。
【００１３】
制御手段が検出信号を受けていないときに、前記警報を表示する測定時間表示部を備えるので、保護カバーの端子台への取り付けをより確実に行うことができ、さらに安全な電源試験装置とすることができる。
【００１４】
請求項４に記載の電源試験装置は、請求項２または請求項３に記載の電源試験装置において、前記警報が、文字を表示し視覚に訴えて発せられるものであり、加えて音により聴覚に訴えて発せられるものである。
【００１５】
前記警報が、文字を表示し視覚に訴えて発せられるので、保護カバーが取り付いていないことを知ることができる。加えて音により聴覚に訴えて発せられるので、警告表示を見逃した場合でも保護カバーが取り付いていないことを確実に知ることができる。
【００１６】
請求項５に記載の電源試験装置は、請求項１乃至請求項４のいずれか１項に記載の電源試験装置において、例えば図２に示すように、制御手段３２が、前記検出信号を受けているときのみ前記試験電源を発生させるよう構成される。
【００１７】
保護カバーが端子台に取り付けられ端子を保護しているときにのみ、試験電源を発生させれば、試験電源が発生しているときに誤って試験電源に触れて感電することはなく、安全である。保護カバーが複数のときは、すべての保護カバーが端子台に取り付けられているときに、試験電源を発生させるようにすることが望ましい。
【００１８】
【発明の実施の形態】
以下、本発明の実施の形態について、図面を参照して説明する。
【００１９】
図２は、本発明による電源試験装置としての突入電流測定装置１の正面図である。なお、突入電流測定装置１（以下装置１ともいう。）は図３（Ａ）に示すように、交流電源２Ａと被試験機３との間に接続され、電源シミュレーションを行うに際し被試験機３に下記に示す３種類のモードの電源を供給する。図３（Ｂ）に示すように交流電源２Ａの代わりに直流電源２Ｂであってもよい。
【００２０】
以下、図２を参照して突入電流測定装置１の本発明に関連する構成を簡単に説明する。装置１は電源スイッチ４を有し、電源スイッチ４を押すことにより電源がオンの状態になる。さらに装置１はモードボタン５を有し、モードボタン５を押すことにより電源の動作モードが選択される。電源の動作モードには、通電中に瞬時停電が発生する瞬時停電発生モード、通電開始時間及び通電終了時間が指定できる指定時間通電モード、通電開始時間を指定できる遅延通電モードがある。モードボタン５を一回押すごとにこれらの動作モードが、次々に交代して選択される。
【００２１】
装置１は、スタート／ストップボタン６を有し、このボタンを押すことによりシミュレーション動作の開始と停止との選択を行う。この操作は次に説明するラインオン／オフボタン７がオンのとき有効である。
【００２２】
装置１は、このラインオン／オフボタン７を有し、ラインオン／オフボタン７は内部に設けられた入出力端子間ラインスイッチ（不図示）の動作を許可（オンの場合）し、または禁止（オフの場合）するスイッチである。オンでスタートが許可され、入出力端子間ラインスイッチは前述の各モードにおける待機状態となる。オフでは、入出力端子間ラインスイッチを強制遮断し、電源シミュレーションを禁止する。
【００２３】
装置１は、第１のディレイボタン８とイベントボタン９を有し、第１のディレイボタン８は通電開始時間を設定するとき、イベントボタン９は停電及び通電時間を設定するときに押す。停電時間とは停電が持続する時間、通電時間とは通電が持続する時間をいう。装置１は、シミュレーション時間表示部１０を有し、第１のディレイボタン８またはイベントボタン９を押すと以前に設定したそれぞれの時間がｍＳ（ミリ秒）単位で表示される（最初に設定するときは００１が表示される）。設定した時間を変更するときには、後述のアップボタンを押して数値を増加させるか、ダウンボタンを押して数値を減少させる。遅延通電モードが選択されているときは、イベントボタン９で時間を設定する必要はない。
【００２４】
装置１は、第２のディレイボタン１１とサンプルボタン１２を有し、第２のディレイボタン１１は測定遅延（開始）時間を設定するとき、サンプルボタン１２は測定時間（測定を持続する時間）を設定するときに押す。装置１は、測定時間表示部１３を有し、第２のディレイボタン１１またはサンプルボタン１２を押すと以前に設定した時間がｍＳ単位で表示される（最初に設定するときは５００が表示される。）。設定した時間を変更するときには、次に述べるのアップボタン、またはダウンボタンを押す。
【００２５】
装置１は、アップボタン１４、とダウンボタン１５を有し、アップボタン１４、ダウンボタン１５は前述の時間の設定に際して設定すべき時間を増減させるために押される。図上左側の上向き三角形がアップボタン１４であり、これを押すと設定数値が増え、図上左側下向き三角形がダウンボタン１５であり、これを押すと設定数値が減少する。
【００２６】
さらに、装置１は、測定項目選択ボタンであるピークボタン１６、ＲＭＳボタン１７、パワーボタン１８を有する。ピークボタン１６を押すことによりピーク電流の測定値として、ピークホールド値を表示するか測定時間内ピーク値を表示するかが交代で選択され、ＲＭＳボタン１７を押すことにより電流実効値を表示するか電圧実効値を表示するかが交代で選択され、パワーボタン１８を押すことにより皮相電力値を表示するか、実効電力値を表示するかが交代で選択される。
【００２７】
装置１は、測定結果表示部１９を有し、測定結果表示部１９はピークボタン１６、ＲＭＳボタン１７、パワーボタン１８で選択された測定結果を表示する。単位は電流がＡ、電圧がＶ、皮相電力がＶＡ、実効電力がＷである。
【００２８】
さらに、装置１は、入力端子２０と出力端子２１を有する。入力端子２０には図３に示すような交流・直流の入力電源を接続し、出力端子２１には被試験機３（負荷）を接続する。各端子には入力電源の一方を接続する端子と、入力電源の他方でそれが直流の場合にはマイナス側を接続するＣＯＭ端子と、出力電源の一方を接続する端子と、出力電源の他方でそれが直流の場合にはマイナス側を接続するＣＯＭ端子と、入力、出力各々を接地するためのＦＧ端子とが設けられている。これらの各端子は図２、図４に示すように端子台２２に収納され、端子台２２にはアクリル製の保護カバー２３が取り付いている。
【００２９】
図４に示すように、保護カバー２３は端子台２２にビス２４によりネジ止めされ、端子台２２にネジ止めされると保護カバー上部２３Ａが本発明の検出手段としての保護カバー検出スイッチ２５（図４に図示せず）の検出端子２６を押し、保護カバー検出スイッチ２５をオンにする。保護カバー検出スイッチ２５には、マイクロスイッチを採用している。入力電源ケーブル３５及び出力電源ケーブル３６は圧着端子３７を使用し、作業中に外れないようにしっかりとビス３８にて端子台２２に締め付ける。保護カバー２３は端子台２２に直接には取り付けず、装置１の端子台２２近傍に端子台２２を覆うように取り付けてもよい。
【００３０】
図１に本実施の形態の突入電流測定装置１の本発明に関連する部分のブロック図を示す。本ブロック図において、試験回路３１に入力端子２０を介して電源が入力され、試験回路３１から出力端子２１を介して電源が出力される。出力端子２１は被試験機３（図１に不図示）に接続される。
【００３１】
制御手段３２によって、試験回路３１の出力側に前述のいずれかの選択された動作モードの電源を発生させる。制御手段３２はマイクロコンピュータのプログラムによって作動しており、保護カバー検出スイッチ２５によって保護カバー２３の取り付けを常時検出し、保護カバー２３が取り付いていないときには電源出力の発生を止めている。また、測定関係電源切換手段３３は保護カバー検出スイッチ２５と制御手段３２を直列に介して接続されており、保護カバー２３が取り付けられていなければ、電源の通電をハード的に強制的にカットし、入力からの電源を出力しない。
【００３２】
さらに保護カバー２３が取り付いていない状態では図５（Ａ）に示すように、警告のためシミュレーション時間表示部１０に「ＣＯ−」と表示し、同時に図５（Ｂ）に示すように測定時間表示部１３に「ＯＰＥＮ」と表示する。これらの表示に加えて警告のためブザー（図示せず）が鳴るようになっているので、警告表示を見逃した場合でも保護カバー２３が取り付いていないことを確実に知ることができる。
【００３３】
【発明の効果】
以上のように本発明によれば、保護カバーの端子台への取り付けを検出し、検出した検出信号を制御手段に送る検出手段とを備えるので、保護カバーが端子台に取り付いていないことを知ることが可能となり、保護カバーを確実に端子台に取り付けることができるので、感電事故を防止でき安全な電源試験装置を提供することができる。
【００３４】
制御手段が検出信号を受けているときのみ試験電源を発生させるようにすれば、保護カバーが外れていると電源試験を実施することができないので、端子に接触する機会が減少しより安全な電源試験装置とすることができる。
【００３５】
さらに、警報表示部を備え、制御手段が検出信号を受けていないときに警報表示部に警報を表示するようにすれば、保護カバーの端子台への取り付けをより確実に行うことができ、さらに安全な電源試験装置とすることができる。
【図面の簡単な説明】
【図１】  本発明の突入電流測定装置の本発明に関連する部分のブロック図を示す。
【図２】  本発明の突入電流測定装置の正面図を示す。
【図３】  （Ａ）は本発明の突入電流測定装置の交流入力電源と被試験機との接続を説明する模式的結線図である。（Ｂ）は直流入力電源を示めす模式図である。
【図４】  保護カバーの端子台への取り付けを説明する斜視図である。
【図５】  （Ａ）はシミュレーション時間表示部の警報表示の内容を説明する図である。（Ｂ）は測定時間表示部の警報表示の内容を説明する図である。
【符号の説明】
１    突入電流測定装置
２Ａ  交流電源
２Ｂ  直流電源
３    被試験機
４    電源スイッチ
５    モードボタン
６    スタート／ストップボタン
７    ラインオン／オフボタン
８    第１のディレイボタン
９    イベントボタン
１０    シミュレーション時間表示部
１１    第２のディレイボタン
１２    サンプルボタン
１３    測定時間表示部
１４    アップボタン
１５    ダウンボタン
１６    ピークボタン
１７    ＲＭＳボタン
１８    パワーボタン
１９    測定結果表示部
２０    入力端子
２１    出力端子
２２    端子台
２３    保護カバー
２３Ａ  保護カバー上部
２４    ビス
２５    保護カバー検出スイッチ
２６    検出端子
３１    試験回路
３２    制御手段
３３    測定関係電源切換手段
３４    ラインヒューズ
３５    入力電源ケーブル
３６    出力電源ケーブル
３７    圧着端子
３８    ビス
【図１】
0004060454.tif 000002
【図２】
0004060454.tif 000003
【図３】
0004060454.tif 000004
【図４】
0004060454.tif 000005
【図５】
0004060454.tif 000006